(57)【要約】【課題】照明システムにおいて、複数の照明装置が配されたエリアにおいて、一般のユーザが照明光の照度や色温度を容易に制御できるようにする。【解決手段】照明システム１は、照明装置２と、照明装置２のコントローラ３と、を備える。コントローラ３は、属性情報を記憶する記憶部３２と、調光部３３を備える。記憶部３２は、属性情報として、照明装置２が配された位置情報と、照明装置２の照明光の色温度及び照度に関する点灯情報と、を記憶しており、調光部３３は、位置情報と前記点灯情報とを相関付けたエリア点灯パターンに従って照明装置２を調光する。複数の照明装置２の位置情報と点灯情報とを相関付けたエリア点灯パターンに従って照明装置２を調光するので、複数の照明装置２が配されたエリアにおいて、一般のユーザが照明光の照度や色温度を容易に制御できる。【選択図】図２
2014179286.tif 000002
【特許請求の範囲】
【請求項１】
複数の照明装置と、前記照明装置の点灯制御内容を個別に設定するためのコントローラと、を備えた照明システムであって、
前記照明装置は、夫々照明光の色温度及び照度が可変となるように構成され、
前記コントローラは、前記照明装置の属性情報を記憶する記憶部と、前記照明装置へ向けて該照明装置の属性情報を含む制御信号を出力する調光部と、を備え、
前記記憶部は、前記属性情報として、前記照明装置が配された位置情報と、前記照明装置の照明光の色温度及び照度に関する点灯情報と、を記憶しており、
前記調光部は、前記位置情報と前記点灯情報とを相関付けたエリア点灯パターンに従って前記照明装置を調光することを特徴とする照明システム。
【請求項２】
前記エリア点灯パターンは、複数の前記照明装置を、それらの位置情報に基づいて複数の照明グループにグループ化し、グループ化された各照明グループに対して固有の点灯情報を関連付けたものであることを特徴とする請求項１に記載の照明システム。
【請求項３】
前記エリア点灯パターンは、複数の前記照明装置を、該照明装置が設置された空間において相対的に中央寄りに配された照明装置から成る第１照明グループと、前記空間において相対的に周辺寄りに配置された照明装置から成る第２照明グループと、にグループ化し、前記第１照明グループ及び第２照明グループの夫々に対して固有の照明光の色温度及び照度が設定されたものであること特徴とする請求項１又は請求項２に記載の照明システム。
【請求項４】
前記エリア点灯パターンは、前記第１照明グループに属する照明装置の照明光の色温度と前記第２照明グループに属する照明装置の照明光の色温度との温度差が大きくなるように設定されたパターンを含むことを特徴とする請求項３に記載の照明システム。
【請求項５】
前記エリア点灯パターンは、前記第１照明グループに属する照明装置による照度が、前記第２照明グループに属する照明装置による照度よりも高くなるように、且つ前記第１照明グループに属する照明装置の照明光の色温度が、前記第２照明グループに属する照明装置による色温度よりも低くなるように設定されたパターンを含むことを特徴とする請求項３に記載の照明システム。
【請求項６】
前記エリア点灯パターンは、前記第１照明グループに属する照明装置による照度と前記第２照明グループに属する照明装置による照度との照度比が４：１に設定され、前記第１照明グループに属する照明装置の照明光の色温度が５０００Ｋに、前記第２照明グループに属する照明装置の照明光の色温度が６５００Ｋに設定されたパターンを含むことを特徴とする請求項３又は請求項５に記載の照明システム。
【請求項７】
前記コントローラは、前記照明装置の属性情報を表示する表示部と、前記表示部と一体化されて操作指示を検知する操作部と、を更に備え、
前記表示部は、前記エリア点灯パターンをメニュー化して表示し、
前記調光部は、前記表示部と一体化された前記操作部上の操作指示によりエリア点灯パターンが選定されると、選定されたエリア点灯パターンに従って前記照明装置を調光することを特徴とする請求項１乃至請求項６のいずれか一項に記載の照明システム。
【発明の詳細な説明】
【技術分野】
【０００１】
本発明は、コントローラにより設定される制御内容に従って複数の照明装置を制御する照明システムに関する。
【背景技術】
【０００２】
従来から、屋内に設けられた複数の照明装置の照度等を、目的に応じて任意に設定し、照明によるシーン演出を行なうための照明システムが知られている。また、このようなシーン演出を行なうために、複数の照明装置の夫々に接続された調光器に対して対応付けされたチャンネル毎に、所定の調光制御信号の出力レベルを設定する複数のフェーダを備えた調光操作卓が用いられている（例えば、特許文献１参照）。
【０００３】
ところで、近年では、光源に、発光色の異なる複数のＬＥＤを用いることにより、照明光の照度だけでなく、色温度が可変となるように構成された照明装置が普及している。また、照明光の色温度や照度は、照明装置が配された空間にいるユーザの心象に影響を与えることが知られている。そのため、このような照明装置による照明光の色温度や色温度を制御することで、照明装置が配された空間においてユーザに快適な居住感を与えることができる。
【先行技術文献】
【特許文献】
【０００４】
【特許文献１】特開２０００−３１１７９１号公報
【発明の概要】
【発明が解決しようとする課題】
【０００５】
しかしながら、上記特許文献１に記載された調光操作卓は、劇場等の照明の制御に用いられるものであり、例えば、一般住宅のリビング照明に用いられることが想定されていない。また、屋内の天井に配された複数の照明装置を操作卓のフェーダと関連付けているだけなので、一般のユーザにはそれらの調光制御を行うことが容易でない。
【０００６】
本発明は、上記課題を解決するものであり、複数の照明装置が配されたエリアにおいて、一般のユーザが照明光の色温度や照度を容易に制御できる照明システムを提供することを目的とする。
【課題を解決するための手段】
【０００７】
上記課題を解決するため、本発明の照明システムは、複数の照明装置と、前記照明装置の点灯制御内容を個別に設定するためのコントローラと、を備えた照明システムであって、前記照明装置は、夫々照明光の色温度及び照度が可変となるように構成され、前記コントローラは、前記照明装置の属性情報を記憶する記憶部と、前記照明装置へ向けて該照明装置の属性情報を含む制御信号を出力する調光部と、を備え、前記記憶部は、前記属性情報として、前記照明装置が配された位置情報と、前記照明装置の照明光の色温度及び照度に関する点灯情報と、を記憶しており、前記調光部は、前記位置情報と前記点灯情報とを相関付けたエリア点灯パターンに従って前記照明装置を調光することを特徴とする。
【０００８】
上記照明システムにおいて、前記エリア点灯パターンは、複数の前記照明装置を、それらの位置情報に基づいて複数の照明グループにグループ化し、グループ化された各照明グループに対して固有の点灯情報を関連付けたものであることが好ましい。
【０００９】
上記照明システムにおいて、前記エリア点灯パターンは、複数の前記照明装置を、該照明装置が設置された空間において相対的に中央寄りに配された照明装置から成る第１照明グループと、前記空間において相対的に周辺寄りに配置された照明装置から成る第２照明グループと、にグループ化し、前記第１照明グループ及び第２照明グループの夫々に対して固有の照明光の色温度及び照度が設定されたものであることが好ましい。
【００１０】
上記照明システムにおいて、前記エリア点灯パターンは、前記第１照明グループに属する照明装置の照明光の色温度と前記第２照明グループに属する照明装置の照明光の色温度との温度差が大きくなるように設定されたパターンを含むことが好ましい。
【００１１】
上記照明システムにおいて、前記エリア点灯パターンは、前記第１照明グループに属する照明装置による照度が、前記第２照明グループに属する照明装置による照度よりも高くなるように、且つ前記第１照明グループに属する照明装置の照明光の色温度が、前記第２照明グループに属する照明装置による色温度よりも低くなるように設定されたパターンを含むことが好ましい。
【００１２】
上記照明システムにおいて、前記エリア点灯パターンは、前記第１照明グループに属する照明装置による照度と前記第２照明グループに属する照明装置による照度との照度比が４：１に設定され、前記第１照明グループに属する照明装置の照明光の色温度が５０００Ｋに、前記第２照明グループに属する照明装置の照明光の色温度が６５００Ｋに設定されたパターンを含むことが好ましい。
【００１３】
上記照明システムにおいて、前記コントローラは、前記照明装置の属性情報を表示する表示部と、前記表示部と一体化されて操作指示を検知する操作部と、を更に備え、前記表示部は、前記エリア点灯パターンをメニュー化して表示し、前記調光部は、前記表示部と一体化された前記操作部上の操作指示によりエリア点灯パターンが選定されると、選定されたエリア点灯パターンに従って前記照明装置を調光することが好ましい。
【発明の効果】
【００１４】
本発明によれば、複数の照明装置の位置情報と点灯情報とを相関付けたエリア点灯パターンに従って照明装置を調光するので、複数の照明装置が配されたエリアにおいて、一般のユーザが照明光の色温度や照度を容易に制御できる。
【図面の簡単な説明】
【００１５】
【図１】本発明の一実施形態に係る照明システムの構成を示す一点投影図。
【図２】同照明システムのブロック構成図。
【図３】（ａ）（ｂ）は同照明システムに用いられるコントローラの正面図。
【図４】（ａ）は同照明システムで用いられる照明装置の照度パターンを示す図、（ｂ）は中央及び周辺の位置情報別の照度パターンを示す図。
【図５】同照明システムで用いられる照明装置の照射光の色温度パターンを示す図。
【図６】照明光の照度や色温度がユーザの「明るさ感」に関する心象にどのような影響を与えるかについて検証した実験結果を示す図。
【図７】照明光の照度や色温度がユーザの「広さ感」に関する心象にどのような影響を与えるかについて検証した実験結果を示す図。
【図８】照明光の照度や色温度がユーザの「自然さ感」に関する心象にどのような影響を与えるかについて検証した実験結果を示す図。
【図９】照明光の照度や色温度がユーザの「調和性」に関する心象にどのような影響を与えるかについて検証した実験結果を示す図。
【図１０】照明光の照度や色温度がユーザの「快適性」に関する心象にどのような影響を与えるかについて検証した実験結果を示す図。
【発明を実施するための形態】
【００１６】
本発明の一実施形態に係る照明システムについて、図面を参照して説明する。図１に示すように、照明システム１は、複数の照明装置２と、照明装置２の点灯制御内容を設定するためのコントローラ３と、を備える。照明システム１は、一般住宅の屋内や、ビル等の建物内の照明システムとして好適に用いられる。また、本例では、図示したように、コントローラ３から送信された制御信号に基づいて、照明装置２を点灯制御する制御器４を備える。
【００１７】
照明装置２は、個別の識別情報を有し、コントローラ３により制御対象となる照明装置２の識別情報及びその照明装置２の点灯制御内容（点灯情報）が設定されると、制御対象の照明装置２は、直接又は制御器４を介して、設定された点灯情報を受信する。識別情報とは、個々の照明装置２を識別し得る情報をいい、例えば、照明装置毎に付与された個体識別番号（ＩＤ）を指す。また、点灯情報は、主として照明光の照度（光量）及び色温度であり、また、色度、彩度、明度も点灯情報に含まれ得る。また、これら照明装置２の識別情報及び点灯情報を総じて照明装置２の属性情報という。
【００１８】
図例の照明装置２は、固定型の照明装置（ダウンライト）であり、夫々天井に埋設されている。これら照明装置２は、照明装置２の配された空間において相対的に中央寄りに配された照明装置２から成る第１照明グループ２Ａと、この空間において相対的に周辺寄りに配置された照明装置２から成る第２照明グループ２Ｂと、にグループ化されている。なお、照明装置２は、例えば、天井に配されたシーリングライトや、棚や床面上に載置されたスタンドライド等であってもよい（不図示）。また、各照明グループ２Ａ，２Ｂに属する照明装置２の数、形式及び配置等は、必ずしも図示のものに限定されない。
【００１９】
コントローラ３は、屋内の任意の場所に持ち運び自在の端末であり、照明装置２及び制御器４との間で無線通信により所定の制御信号を送受信する。コントローラ３は、画像を表示すると共に、この画像上をユーザが指でタッチすることで操作指示情報を入力可能なタッチパネルを有し、後述する図３に示すように、専用ソフトウェアをインストールしたタブレット又はスマートフォン等の多機能携帯端末が好適に用いられる。コントローラ３のタッチパネルには、後述する照明装置２の属性情報が表示される。なお、コントローラ３には、照明システム１の専用端末が用いられてもよく、また、ゲーム用リモートコントローラ、デジタルカメラ、ＰＤＡ、音楽プレーヤー、ランタン・トーチを代表とするポータブル照明装置、携帯型腕時計等が転用されてもよい。
【００２０】
制御器４は、照明装置２とは有線又は無線により通信可能とされ、また、コントローラ３とは無線により通信可能とされている。制御器４自体は、図１に示したように、屋内の壁に取り付けられるが、制御器４の後述する操作部（表示部）が壁面から取り外し可能とされたものであってもよい。
【００２１】
図２は、照明システム１のブロック構成例を示す。同図において、構成ブロック間を接続する破線矢印が無線通信を、実線矢印が有線通信を表している。なお、図２に示す照明装置２（ａ〜ｃ）は、図１に示した照明装置２とは対応していない。ここでは、照明装置ａがコントローラ３と無線接続され、照明装置ｂがコントローラ３及び制御器４と無線接続され、照明装置ｂがコントローラ３及び制御器４と無線接続され、照明装置ｃが制御器４と有線接続されている。また、コントローラ３及び制御器４は、システム内に組み込まれている照明装置２だけでなく、システム外の照明装置２の識別情報に関するデータを保有する外部サーバ５とインターネットを介して接続され、外部サーバ５から各種データをダウンロードすることができる。なお、後述する照明装置２の制御部の構成は、便宜上、照明装置ａのみ詳細に示す。
【００２２】
コントローラ３は、照明装置２の属性情報を表示する表示部３１と、上記属性情報を記憶する記憶部３２と、照明装置２へ向けてその属性情報を含む制御信号を出力する調光部３３と、を備える。表示部３１は、上述したタッチパネルであり、操作指示を検知する操作部が一体化されている。なお、操作部として表示部３１とは別のタッチパネルやボタン式スイッチ等が用いられてもよい。また、コントローラ３は、操作部により検知された操作指示の位置を示す座標情報を取得する入力処理部３４と、上記表示部３１等を駆動し、調光部３３における制御信号の出力を制御する制御部３５と、を備える。なお、コントローラ３は、外部電源から所要電力を得る制御電源部及び所定容量のバッテリー（いずれも不図示）を更に備える。
【００２３】
表示部３１は、液晶タッチパネルのようにユーザの指示を検知でき、表示も行える表示装置が好適に用いられる。この表示部３１のタッチパネル（操作部）は、抵抗膜方式又は静電方式等により、表示部３１上に接触するユーザの指先又はペン等により押圧された位置座標を検出し、その位置座標を示す位置座標情報を入力処理部３４に出力する。
【００２４】
記憶部３２は、照明装置２の属性情報として、各照明装置２が配された位置情報と、照明装置２の照明光の色温度及び照度に関する点灯情報と、を記憶している、位置情報には、少なくとも各照明装置２が照明グループ２Ａ，２Ｂに属しているかの情報を含む。記憶部３２には、ＥＥＰＲＯＭ等の汎用のメモリが用いられる。
【００２５】
入力処理部３４は、操作部が検知した位置座標情報から、ユーザによる操作指示の位置を示す情報である指示座標情報を取得し、この指示座標情報を制御部３５に出力する。この出力は、表示部３１の表示ドライバから受け付けた指示座標情報を制御部３５に伝達するソフトウェアを用いて行なわれる。指示座標情報は、ｘｙ座標形式の情報であり、上記ソフトウェアは、同時に複数の指示座標情報を制御部３５に伝達する。
【００２６】
制御部３５は、上記操作指示に基づく入力処理部３４からの制御信号に応じて、コントローラ３の表示部３１の表示生成、及び照明装置２又は制御器４に対して各種制御信号の生成及び送受信制御を行う。この制御部３５は、ＭＰＵ及びメモリ等により構成され、上記メモリに処理プログラムをメモリに記憶しておくことにより実現され得る。制御部３５が、専用のハードウェアによっても実現されていてもよい。
【００２７】
調光部３３は、無線通信又は有線通信によって、コントローラ３と制御器４との間、及びコントローラ３と照明装置２との間のデータ送受信を行う。送受信されるデータ構造は、「通信コマンド」「照明装置の識別情報」「照明装置の点灯情報（調光率（照度）、色温度）」により構成される。無線通信には、例えば、無線ＬＡＮ（ＷｉＦｉ）であれば、ＵＤＰ通信プロトコルが好適に用いられ、また、可視光通信、赤外線データ通信の規格（ＩｒＤＡ）、ＲＦ（Ｒａｄｉｏ  Ｆｒｅｑｕｅｎｃｙ）、近距離無線通信の規格（ＩＥＥＥ８０２．１５．１）、特定小電力無線等が用いられてもよい。有線通信には、例えば、ＤＡＬＩ、有線ＬＡＮの規格（ＩＥＥＥ８０２．３等）や電力線通信等が用いられる。この調光部は、照明装置２の位置情報と点灯情報とを相関付けたエリア点灯パターンに従って照明装置２を調光する。
【００２８】
制御器４は、コントローラ３と同様、所定の属性情報を表示する表示部４１と、上記属性情報を記憶する記憶部４２と、照明装置２及びコントローラ３に属性情報を含む制御信号を送受信する調光部４３と、を備える。表示部４１は、タッチパネルであり、操作指示を検知する操作部が一体化されている。また、制御器４は、操作部により検知された操作指示の位置を示す座標情報を取得する入力処理部４４と、上記表示部４１等を駆動し、調光部４３における制御信号の出力を制御する制御部４５と、を備える。
【００２９】
図３（ａ）に示すように、コントローラ３の表示部３１は、照明システム１の通常動作パターンをメニュー化して表示する。この通常動作には、図示したように、通常点灯モード、スケジュール点灯モード及びエリア点灯モードといった複数のモードがある。ここで、エリア点灯モードが選択されると、図３（ｂ）に示すように、コントローラ３の表示部３１は、エリア点灯パターンをメニュー化して表示する。このエリア点灯パターンには、図示したように、明るさ優先パターンや快適さ優先パターンといった複数のパターンがある。調光部３３（図２参照）は、選択されたエリア点灯パターンに従って照明装置２を調光する。
【００３０】
照明装置２の構成について、再び図２を参照して説明する。照明装置２は、光源部２１と、コントローラ３からの制御信号を受信する送受信部２２と、送受信部２２が受信した制御信号に含まれる点灯情報に従って光源部２１を駆動する制御部２３と、を備える。光源部２１は、発光色が異なる複数種のＬＥＤ等の発光体を組み合わせることにより、照射光の色温度が可変となるように構成される。送受信部２２は、無線通信又は有線通信によって、コントローラ３又は制御器４との間でデータ送受信を行なう。この送受信部２２には、コントローラ３の送受信部３３等に対応する構成が用いられる。
【００３１】
本例において、光源部２１は、赤色系（Ｒ）、緑色系（Ｇ）、青色系（Ｂ）の３色の発光素子（発光ダイオード）Ｒ，Ｇ，Ｂを有している。なお、３色の発光素子は発光ダイオード以外の発光素子、例えば、有機ＥＬ素子、無機ＥＬ素子、蛍光灯、ＨＩＤ、白熱灯、ＬＥＤ電球であってもよい。これら発光素子Ｒ，Ｇ，Ｂの光量ＹＲ，ＹＧ，ＹＢの比率を変化させることにより、それらを混色として得られる照明光の光色を変えることができる。また、上記光量ＹＲ，ＹＧ，ＹＢの比率を保った状態で、光量ＹＲ，ＹＧ，ＹＢを変化させれば、同一の光色において照明光の光量を変えることができる。発光ダイオードは、給電量（各発光素子を流れる電流）に応じて発光量が決まる。従って、制御部２３から各発光素子Ｒ，Ｇ，Ｂに供給する給電量（電流）を増減することで、照明光の光色及び光量を調節することができる。また、照明光の色度が黒体軌跡にほぼ沿って変化するように、照明光源の各発光素子Ｒ，Ｇ，Ｂの光量ＹＲ，ＹＧ，ＹＢを決定することにより、照明光の光色を、色温度に基づいて指定することもできる。
【００３２】
制御部２３は、照明装置２の識別情報等を記憶する記憶部２３ａと、商用電源ＡＣ等の交流電圧を所望の直流電圧に変換する電流変換部２３ｂと、調光部からのデータを解釈して制御信号を伝送する制御信号変換部２３ｃと、光源部２１に出力される駆動信号を出力する駆動信号変換部２３ｄと、を備える。
【００３３】
記憶部２３ａは、汎用の照明制御用マイコン及びメモリから構成され、照明装置２の識別情報やシステム内の所属系統に関する情報等を記憶する。例えば、ディップスイッチなどで設定された情報を記憶する。照明装置２の識別情報として、グローバルＩＰアドレスやＭＡＣアドレスのように照明装置固有の識別情報が組み込まれていてもよい。
【００３４】
電流変換部２３ｂは、所定の電流を供給するためのスイッチ回路及び変圧回路等から構成される。この電流変換部２３ｂは、１次電池又は２次電池に置き換えられてもよく、電池から所定の直流電力が供給されてもよい。これは、移動型の照明装置（不図示）に好適である。これらの電池の容量は、照明装置２で消費される電力量に応じて選定される。２次電池は、例えば、充電器（送電側）と、充電池（受電側）の夫々にコイルを搭載し、両者の間に、金属端子を介さずに、コイル間の電磁誘導で電力を非接触で伝送する構成であってもよい。こうすれば、移動型の照明装置２を使用していない場合には、充電器に置くだけで、充電できるので利便性が向上する。
【００３５】
ここで、照明光の照度や色温度が、照明装置が配された空間に居るユーザの心象にどのような影響を与えるかについて検証した心象実験について、図４乃至１０を参照して説明する。実験条件として、図１に示したような実験ブースにおいて、中央寄りの位置と、それよりも周辺寄りの位置との夫々に照明装置２（ダウンライト）を設置した。そして、中央寄りの照明装置２（第１照明グループ２Ａ）及び周辺寄りの照明装置２（第２照明グループ２Ｂ）の夫々が、図４（ａ）（ｂ）に示した３パターンの照度、及び図５に示した４パターンの色温度となるように調光制御された。つまり、照度に関しては、中央２照度×周辺３照度の９パターンがあり、色温度に関しても、中央４色×周辺４色の１６パターンがある。そして、これら照度９パターン×色温度１６パターンの組み合わせによる計１４４試行を行い、各試行に参加した被験者をヒアリングすることで、照明光の照度や色温度による心象を調査した。
【００３６】
図６は、照明光の照度及び色温度によって被験者がどのように「明るさ感」を感じるかを検証した結果を示す。同図には、９つ（３×３）のグラフがマトリクス状に配されている。これらのグラフは、相対的に中央寄りの（第１照明グループ２Ａに属する）照明装置２の照度が、図中右側のものほど高く、左側のものほど低い。また、相対的に周辺寄りの（第２照明グループ２Ｂに属する）照明装置２の照度が、図中上側のものほど高く、下側のものほど低い。つまり、図中右上のグラフ（ＨＨ）は中央照度及び周辺照度がいずれも高く、図中左下のグラフ（ＬＬ）は中央照度及び周辺照度がいずれも低い。図中左上のグラフ（ＬＨ）は中央照度が低いが、周辺照度が高く、図中右下のグラフ（ＨＬ）は中央照度が高く、周辺照度が低い。また、個々のグラフにおいては、中央の（第１照明グループ２Ａに属する）照明装置２の色温度が、グラフ右側のものほど低く、右側のものほど高い。また、周辺の（第２照明グループ２Ｂに属する）照明装置２の色温度が、グラフ中上側のものほど低く、下側のものほど高い。つまり、グラフＨＨに示す矢印は、同じ色温度の組み合わせを示し、この矢印を対称軸として、矢印から離れるほどに、中央及び周辺で色温度が相違する。また、グラフ中もポイントは、塗りつぶしのものは肯定的な評価、白抜きは否定的な評価を示し、ポイントの大きさがその評価の程度を表す。つまり、図６において、塗りつぶし且つポイントも大きいものは、明るさ感が最も高いことを示し、白抜き且つポイントの大きいものは、明るさ感が最も低い、言い換えると、暗さ感が最も高いことを示す。
【００３７】
明るさ感は、当然ながら、中央照度及び周辺照度も最も高いグラフＨＨにおいて最も高くなる。しかしながら、周辺照度の影響は、中央照度に比べて小さい。従って、明るさ感を維持しつつ、省エネを図るときには、中央照度を高く、周辺照度も中央照度に比べて低くするエリア点灯パターンを実行することが好ましい。
【００３８】
また、グラフＨＭの破線領域で示されるように、中央及び周辺の色温度が中程度であり、それらの色温度差が少ないと、明るさ感を感じ難くなる。従って、明るさ感を優先的に高める照明を行う最には、中央寄りの照明装置２の照明光の色温度と、周辺寄りの照明装置２の照明光の色温度との温度差が大きくなるように設定されたエリア点灯パターンを実行することが好ましい。
【００３９】
図７は「広さ感」について、図８は「自然さ」について、図９は「調和性」について、図１０は「快適さ」について、上記明るさ感と同様に、被験者にヒアリングを行った結果を示す。これらの結果から、グラフＨＭの点線円で囲われるポイントにおいて、共通して、肯定的な評価がなされていることが示される。つまり、中央寄りの照明装置２（２Ａ）による照度が、周辺寄りの照明装置２（２Ｂ）による照度よりも高くなるように設定される。また、中央寄りの照明装置２の照明光の色温度が、周辺寄りの照明装置２による色温度よりも低くなるように設定される。より具体的には、中央寄りの照明装置２による照度と周辺寄りの照明装置２による照度との照度比が４：１に設定され、中央寄りの照明装置２の照明光の色温度が５０００Ｋに、周辺寄りの照明装置２の照明光の色温度が６５００Ｋに設定される。このエリア点灯パターンが実行されることにより、照明システム１による照明がなされた空間において、広さ感、自然さ、調和性、快適さを向上させることができる。
【００４０】
上記の動作は、図３（ｂ）に示したような、コントローラ３の表示部３１をユーザがタッチ操作することにより実行される。すなわち、ユーザがエリア点灯パターンを選定すると、コントローラ３の調光部３３は、エリア点灯パターンに即して、指定位置の照明装置２を、定められた照度及び色温度で点灯させる。従って、複数の照明装置が配されたエリアにおいて、一般のユーザが照明光の照度や色温度を容易に制御できる。
【００４１】
なお、本発明は上記実施形態に限らず種々の変形が可能である。上述した実施形態では、空間の中央寄りに配された照明装置２と、周辺寄りに配された照明装置２とを２つにグループ化したが、例えば、３つ以上にグループ化されてもよい。すなわち、照明装置２をエリア別に、照明光の色温度と照度と夫々個別に制御するが容易になされ、且つその照明制御により快適性を得られるようにしたものであれば、照明グループの数は特に限定されない。ただし、照明システム１は、隣り合うグループにおける照度差及び色温度差を意図的に大きくすることにより、それらの差が少ない場合に比べて、ユーザにより特徴的な心象を与えるものなので、グループの数は、上述した２つ又は３つ程度が好ましい。また、例えば、照明装置２の記憶部２３ａには、その照明装置２の識別情報として、予め照明装置２を表す図形等を記憶しており、この識別情報をコントローラ３にアップデートするように構成されていてもよい。また、コントローラ３が、ＧＢＳ等により自己位置検出手段を有し、コントローラ３を持つユーザが存在する部屋を自動的に割り出し、ユーザが部屋選択を行なうことなく、エリア点灯パターンを選択できるようにしてもよい。
【符号の説明】
【００４２】
１    照明システム
２    照明装置
２Ａ    第１照明グループ
２Ｂ    第２照明グループ
３    コントローラ
３１    表示部（操作部）
３２    記憶部
３３    調光部
【図１】
2014179286.tif 000003
【図２】
2014179286.tif 000004
【図３】
2014179286.tif 000005
【図４】
2014179286.tif 000006
【図５】
2014179286.tif 000007
【図６】
2014179286.tif 000008
【図７】
2014179286.tif 000009
【図８】
2014179286.tif 000010
【図９】
2014179286.tif 000011
【図１０】
2014179286.tif 000012